(57)【要約】【課題】撮像の完了を優先しながら、高速掃出し期間を短縮する。【解決手段】一眼レフカメラ１０は撮像素子３０、ＴＧ１２、およびバッテリーチェッカー１５を有する。撮像素子３０は被写体の光学像に応じた画像信号を生成する。ＴＧ１２は撮像素子３０を駆動するために、水平転送パルスを生成する。水平転送パルスの周波数に応じた転送速度で撮像素子３０は信号電荷を転送する。バッテリーチェッカー１５は電池の電圧を検出する。連写モードにおいて電圧が閾値以下である場合には、ＴＧ１２は第１の高速掃出し用の周波数の垂直転送パルスを生成する。連写モードにおいて電圧が閾値を超える場合には、ＴＧ１２は第２の高速掃出し用の周波数の垂直転送パルスを生成する。第２の高速掃出し用の周波数は第１の高速掃出し用の周波数の２倍に定められる。【選択図】図１
2010074283.tif 000002
【特許請求の範囲】
【請求項１】
受光量に応じた信号電荷を生成する複数の画素と、前記画素から読出される前記信号電荷を転送信号の周波数に応じた速さで転送する電荷転送路とを有する撮像素子を駆動する撮像素子駆動ユニットであって、
前記信号電荷を転送させるための前記転送信号である通常転送信号、前記電荷転送路に残る電荷を掃出すための前記転送信号であって前記通常転送信号より周波数の大きな第１の掃出信号、または前記電荷転送路に残る電荷を掃出すための前記転送信号であって前記第１の掃出信号より周波数の大きな第２の掃出信号のいずれかを生成して、前記撮像素子に送信する信号生成部と、
前記撮像素子を駆動するための電力を供給する電池の残量を検出する検出部と、
前記残量が閾値未満であって前記電荷転送路に残る前記電荷を掃出させる場合に前記信号生成部に前記第１の掃出信号を生成させる制御部とを備える
ことを特徴とする撮像素子駆動ユニット。
【請求項２】
前記制御部は、前記撮像素子に連写を実行させる連写モードに設定され、前記電荷転送路に残る前記電荷を掃出させる場合に、前記信号生成部に前記第２の掃出信号を生成させることを特徴とする請求項１に記載の撮像素子駆動ユニット。
【請求項３】
前記電荷転送路に残る前記電荷の掃出しは、前記画素に生成させた信号電荷を前記電荷転送路に転送させる前に実行することを特徴とする請求項１または請求項２に記載の撮像素子駆動ユニット。
【請求項４】
前記電荷転送路はＣＣＤであることを特徴とする請求項１〜請求項３のいずれか１項に記載の撮像素子駆動ユニット。
【請求項５】
受光量に応じた信号電荷を生成する複数の画素と、前記画素から読出される前記信号電荷を転送信号の周波数に応じた速さで転送する電荷転送路とを有する撮像素子と、
前記信号電荷を転送させるための前記転送信号である通常転送信号、前記電荷転送路に残る電荷を掃出すための前記転送信号であって前記通常転送信号より周波数の大きな第１の掃出信号、または前記電荷転送路に残る電荷を掃出すための前記転送信号であって前記第１の掃出信号より周波数の大きな第２の掃出信号のいずれかを生成し、前記撮像素子に送信する信号生成部と、
前記撮像素子を駆動するための電力を供給する電池の残量を検出する検出部と、
前記残量が閾値未満であって前記電荷転送路に残る前記電荷を掃出させる場合に前記信号生成部に前記第１の掃出信号を生成させる制御部とを備える
ことを特徴とする撮像装置。
【発明の詳細な説明】
【技術分野】
【０００１】
本発明は、ＣＣＤ撮像素子などのように生成した信号電荷を転送する電荷転送路が生成する不要な電荷を撮像前に高速で掃出させる撮像素子駆動ユニットに関する。
【背景技術】
【０００２】
被写体の光学像に応じた画像信号を生成する様々な種類の撮像素子が開示されている。様々な種類の撮像素子の中で、小型化、良好なＳ／Ｎ比、感度の高さなどの点において様々な改良が加えられたＣＣＤ撮像素子が広範に用いられている。
【０００３】
ＣＣＤ撮像素子は、受光面に配置される複数の画素から受光量に応じた信号電荷を画素毎に垂直ＣＣＤに読出し、垂直ＣＣＤに読出した信号電荷を水平ＣＣＤに転送し、水平ＣＣＤに転送された信号電荷を出力アンプに転送することにより、各画素が生成した信号電荷に応じた画素信号を順番に出力する。
【０００４】
垂直ＣＣＤには、漏れた光により垂直ＣＣＤ自身が生成する電荷や、転送容量を超える信号電荷の転送時に漏れ出た電荷や、読出し時以外において画素から漏れ出る電荷などが蓄積されることがある。このような電荷は信号電荷に対してノイズとなり、正確な画像を表示するためには排除する必要がある。
【０００５】
そこで、画素が生成した信号電荷を垂直ＣＣＤに読出し、転送させる前に、垂直ＣＣＤに高速掃出しを実行させ、垂直ＣＣＤに蓄積された電荷を排除することが開示されている（特許文献１参照）。
【０００６】
一方で、垂直ＣＣＤの高速掃出しのためには、垂直ＣＣＤを駆動するための駆動信号の周波数を大きくする必要があり、電力の消費量が急増する。消費量が急増するため、撮像中に電力が不足し、撮像動作の停止が起こりえることが問題であった。
【特許文献１】特開平４−３５６８７９号公報
【発明の開示】
【発明が解決しようとする課題】
【０００７】
したがって、本発明ではＣＣＤのような電荷転送型撮像素子において、電荷転送路に蓄積された電荷の掃出しを実行しながら、撮像動作停止の可能性を低減化する撮像素子駆動ユニットを提供することを目的とする。
【課題を解決するための手段】
【０００８】
本発明の撮像素子駆動装置は、受光量に応じた信号電荷を生成する複数の画素と画素から読出される信号電荷を転送信号の周波数に応じた速さで転送する電荷転送路とを有する撮像素子を駆動する撮像素子駆動装置であって、信号電荷を転送させるための転送信号である通常転送信号、電荷転送路に残る電荷を掃出すための転送信号であって通常転送信号より周波数の大きな第１の掃出信号、または電荷転送路に残る電荷を掃出すための転送信号であって第１の掃出信号より周波数の大きな第２の掃出信号のいずれかを生成して撮像素子に送信する信号生成部と、撮像素子を駆動するための電力を供給する電池の残量を検出する検出部と、残量が閾値未満であって電荷転送路に残る電荷を掃出させる場合に信号生成部に第１の掃出信号を生成させる制御部とを備えることを特徴としている。
【０００９】
さらに、制御部は撮像素子に連写を実行させる連写モードに設定され、電荷転送路に残る電荷を掃出させる場合に、信号生成部に第２の掃出信号を生成させることが好ましい。
【００１０】
また、電荷転送路に残る電荷の掃出しは、画素に生成させた信号電荷を電荷転送路に転送させる前に実行することが好ましい。
【００１１】
また、電荷転送路はＣＣＤであることが好ましい。
【００１２】
本発明の撮像ユニットは、受光量に応じた信号電荷を生成する複数の画素と画素から読出される信号電荷を転送信号の周波数に応じた速さで転送する電荷転送路とを有する撮像素子と、信号電荷を転送させるための転送信号である通常転送信号、電荷転送路に残る電荷を掃出すための転送信号であって通常転送信号より周波数の大きな第１の掃出信号、または電荷転送路に残る電荷を掃出すための転送信号であって第１の掃出信号より周波数の大きな第２の掃出信号のいずれかを生成し撮像素子に送信する信号生成部と、撮像素子を駆動するための電力を供給する電池の残量を検出する検出部と、残量が閾値未満であって電荷転送路に残る電荷を掃出させる場合に信号生成部に第１の掃出信号を生成させる制御部とを備えることを特徴としている。
【発明の効果】
【００１３】
本発明によれば、電池の残量が少ない場合に電荷を掃出し速度を低下させるので、撮像動作の停止を防ぎながら、電荷転送路に残る不要電荷を掃出すことが可能となる。
【発明を実施するための最良の形態】
【００１４】
以下、本発明の実施形態について図面を参照して説明する。
図１は、本発明の一実施形態を適用した撮像素子駆動ユニットを有する一眼レフカメラの内部構成を概略的に示すブロック図である。
【００１５】
一眼レフカメラ１０は、撮影光学系１１、撮像素子３０、タイミングジェネレータ（ＴＧ）１２、デジタルシグナルプロセッサ（ＤＳＰ）１３、ＣＰＵ１４、およびバッテリーチェッカー１５などによって構成される。
【００１６】
撮影光学系１１はフォーカスレンズ（図示せず）や変倍レンズ（図示せず）を含む複数のレンズによって形成される。撮影光学系１１の光軸に垂直となるように、かつ光軸上に撮像素子３０が配置される。撮影光学系１１により、被写体の光学像が撮像素子３０の受光面に結像する。
【００１７】
撮影光学系１１と撮像素子３０との間に、絞り１６、ミラー１７、シャッタ１８が配置される。絞り１６の開口率を調整することにより撮像素子３０への入射光量が調整される。撮影待機時にミラー１７は閉じており、被写体の光学像をペンタプリズム１９に向けて反射し、ビューファインダー（図示せず）に伝達させる。撮像実行時にミラー１７が上方に開き、被写体の光学像がシャッタ１８に到達する。シャッタ１８を開閉することにより、光学像の撮像素子３０への遮光と到達とが切替えられる。
【００１８】
絞り１６、ミラー１７、およびシャッタ１８は光学系駆動回路２０により駆動される。光学系駆動回路２０による各部位の駆動は、ＣＰＵ１４により制御される。
【００１９】
撮像素子３０がＴＧ１２に駆動されることにより、光学像に応じた画像信号が生成される。なお、ＴＧ１２による撮像素子３０の駆動は、ＤＳＰ１３によって制御される。生成した画像信号はＡＦＥ２１を介してＤＳＰ１３に送信される。
【００２０】
ＡＦＥ２１において、画像信号にＣＤＳ処理、ＡＧＣ処理、およびＡ／Ｄ変換処理が施される。ＤＳＰ１３において、画像信号に所定の信号処理が施される。所定の信号処理が施された画像信号はメモリ２２に格納される。または、ＬＣＤ２３に送信され、撮像した画像がＬＣＤ２３に表示される。
【００２１】
ＤＳＰ１３はＣＰＵ１４に接続される。ＤＳＰ１３はＣＰＵ１４から受信するデータに基づいて、ＴＧ１２の駆動、画像信号に対する信号処理、および画像信号の格納などの処理を制御する。
【００２２】
前述のように、ＣＰＵ１４により光学系駆動回路２０やＤＳＰ１３は制御される。さらに、ＣＰＵ１４はバッテリーチェッカー１５に、一眼レフカメラ１０の各部位に電力を供給する電池の電圧を検出させる。後述するように、電池の電圧に応じてＣＰＵ１４はＤＳＰ１３を介して、ＴＧ１２による撮像素子２０の駆動を制御する。
【００２３】
また、ＣＰＵ１４により、一眼レフカメラ１０の各部位の動作も制御される。ＣＰＵ１４は、レリーズボタン（図示せず）、電源ボタン（図示せず）、多機能十字キー（図示せず）などによって構成される入力部２４に接続される。使用者による入力部２４への様々なコマンド入力に応じて、ＣＰＵ１４は一眼レフカメラ１０の各部位を制御する。
【００２４】
次に、撮像素子３０の構成とともに撮像実行時の撮像素子３０の動作について、更に詳細に説明する。
【００２５】
撮像素子３０はＣＣＤ撮像素子であり、図２に示すように、画素３１、垂直ＣＣＤ３２、水平ＣＣＤ３３、および出力アンプ３４などによって構成される。
【００２６】
複数の画素３１が撮像素子３０の受光面に２次元状に配置される。画素３１の並ぶ各列に垂直ＣＣＤ３２が配置される。各画素３１は隣接する垂直ＣＣＤ３２に接続される。垂直ＣＣＤ３２の下方には、画素の並ぶ行方向に延びる水平ＣＣＤ３３が設けられる。全垂直ＣＣＤ３２は、水平ＣＣＤ３３に接続される。水平ＣＣＤ３３の一端に出力アンプ３４が接続される。
【００２７】
各画素３１において、受光量に応じた信号電荷が生成され、蓄積される。画素３１が配置される基板（図示せず）には、電子シャッタ端子３５ｓｕｂが接続される。電子シャッタ端子３５ｓｕｂに電子シャッタパルスΦＳＵＢが入力されることにより、全画素３１に蓄積された電荷が掃出され、リセットされる。また、画素３１と垂直ＣＣＤ３２の間には、センサゲート（図示せず）が配置される。センサゲートにはセンサゲート（ＳＧ）端子３５ｓｇが接続される。ＳＧ端子３５ｓｇにＳＧパルスΦＳＧが入力されることにより、画素３１に蓄積された信号電荷が垂直ＣＣＤ３２に読出される。
【００２８】
図３に示すように、垂直ＣＣＤ３２には第１〜第４の電極３６ａ〜３６ｄが列方向に沿って、順番に繰返すように配置される。第１〜第４の電極３６ａ〜３６ｄに位相をずらした垂直転送パルスΦＶを入力することにより、垂直ＣＣＤ３２に蓄積される電荷が水平ＣＣＤ３３に転送される。なお、第１〜第４の電極３６ａ〜３６ｄは、それぞれ第１〜第４の垂直転送端子３５ｖ１〜３５ｖ４（図２参照）に接続される。
【００２９】
なお、垂直ＣＣＤ３２における電荷の転送速度は、垂直転送パルスΦＶの周波数に応じて変化する。周波数が大きくなるほど転送速度は高くなり、周波数が小さくなるほど転送速度は低下する。
【００３０】
垂直ＣＣＤ３２と同様に、水平ＣＣＤ３３には第５、第６の電極（図示せず）が行方向に沿って、順番に繰返すように配置される。第５、第６の電極に位相をずらした水平転送パルスΦＨを入力することにより、水平ＣＣＤ３３に転送される電荷が出力アンプ３４に転送される。なお、第５、第６の電極は、それぞれ第１、第２の水平転送端子３５ｈ１、３５ｈ２に接続される。
【００３１】
なお、電子シャッタパルスΦＳＵＢ、センサゲートパルスΦＳＧ、垂直転送パルスΦＶ、および水平転送パルスΦＨはＴＧ１２により生成され、各端子に入力される。
【００３２】
出力アンプ３４はキャパシタを有しており、転送された信号電荷を信号電圧に変換して出力する。
【００３３】
次に、図４を用いてレリーズボタンを全押ししたときに開始されるレリーズ制御について、撮像素子３０における動作を中心にして説明する。図４は、レリーズ制御を説明するためのタイミングチャートである。
【００３４】
レリーズボタンの全押しが検知されるときに、ＣＰＵ１４によりシーケンス制御であるレリーズ制御が開始される。レリーズボタンの全押しの検知後のタイミングｔ１において、ミラー１７が上方に開かれる。次のタイミングｔ２において、第１〜第４の垂直転送端子３５ｖ１〜３５ｖ４への信号電荷転送用の周波数である垂直転送パルスΦＶの入力、第１、第２の水平転送端子３５ｈ１、３５ｈ２への水平転送パルスΦＨの入力、および電子シャッタ端子３５ｓｕｂへの電子シャッタパルスΦＳＵＢの入力が開始され、垂直ＣＣＤ３２、水平ＣＣＤ３３、および画素３１に蓄積された電荷が掃出される。
【００３５】
タイミングｔ３において、電子シャッタパルスΦＳＵＢの入力が停止され、画素３１に信号電荷が蓄積可能となる。また、タイミングｔ３において、シャッタ１８が開かれ、撮像素子３０への光学像の露光が開始される。
【００３６】
設定された露光時間の経過後のタイミングｔ４において、シャッタ１８が閉じられ、撮像素子３０への光学像の露光が完了する。また、タイミングｔ４において、垂直転送パルスΦＶの周波数が、信号電荷転送用の周波数より大きな第１または第２の高速掃出し用の周波数に調整される。なお、第２の高速掃出し用の周波数は、第１の高速掃出し用の周波数の２倍である。第１または第２の高速掃出し用の周波数に調整することにより、垂直ＣＣＤ３２に蓄積された電荷が高速で掃出される。
【００３７】
垂直ＣＣＤ３２の高速掃出しは、全ての第１〜第４の電極３５ｖ１〜３５ｖ４に相対する位置に蓄積されている電荷の水平ＣＣＤ３３への転送を２回実行するときに完了する。前述のように、転送速度は垂直転送パルスΦＶの周波数に比例するので、垂直ＣＣＤ３２の高速掃出しにかかる期間は垂直転送パルスΦＶの周波数に反比例する。
【００３８】
垂直ＣＣＤ３２の電荷の高速掃出しを完了すると、センサゲートパルスΦＳＧがセンサゲート端子３５ｓｇに入力される（タイミングｔ５）。センサゲートパルスΦＳＧが入力されることにより、タイミングｔ３〜タイミングｔ４の間に画素３１において生成され、蓄積された信号電荷が垂直ＣＣＤ３２に読出される。
【００３９】
センサゲートパルスΦＳＧの入力後に、垂直転送パルスΦＶの周波数は信号電荷転送用の周波数に再び戻される。周波数を信号電荷転送用の周波数に戻すことにより、転送不良を生じること無く、信号電荷が水平ＣＣＤ３３に転送される。
【００４０】
撮像素子３０はインターレーススキャンを実行するように駆動される。すなわち、２行おきの信号電荷の転送が２回行なわれ、１フレームの画像信号が生成される。例えば、タイミングｔ７において奇数行の信号電荷すべてが出力アンプ３４に転送されると、次に偶数行の信号電荷の出力アンプ３４までの転送が実行される。なお、偶数行の信号電荷の転送のために、タイミングｔ７〜タイミングｔ８の期間に、タイミングｔ４〜タイミングｔ７の間に実行された動作と同様に、垂直ＣＣＤ３２の高速掃き出し、画素３１から垂直ＣＣＤ３２への信号電荷の読出し、および信号電荷の出力アンプ３４への転送が実行される。
【００４１】
上述のようなレリーズ制御における垂直ＣＣＤ３２の高速掃出しについて、さらに詳細に説明する。一眼レフカメラ１０は単写撮影モードと連写撮影モードを有している。単写撮影モードでは、レリーズボタンを全押しすることに単一の画像信号が生成される。一方、連写撮影モードでは、レリーズボタンを全押しし続けている間に連続的に被写体が撮像され、複数の画像信号が生成される。
【００４２】
単写撮影モードにおいては、垂直ＣＣＤ３２の高速掃出し時（図４におけるタイミングｔ４〜タイミングｔ５）に第１の高速掃出し用の周波数に調整された垂直転送パルスΦＶがＴＧ１２に生成され、第１〜第４の垂直転送端子３５ｖ１〜３５ｖ４に入力される。
【００４３】
一方、連写撮影モードにおいては、電池の電圧に基づいて垂直転送パルスΦＶの周波数が定められる。電池の電圧が閾値を超える場合には、垂直ＣＣＤ３２の高速掃出し時に第２の高速掃出し用の周波数に調整された垂直転送パルスΦＶが生成される。一方、電池の電圧が閾値以下である場合には、垂直ＣＣＤ３２の高速掃出し時に第１の高速掃出し用の周波数に調整された垂直転送パルスΦＶが生成される。
【００４４】
連写モードでは、一般的に単位時間あたりの撮影枚数が多いことが望まれている。垂直ＣＣＤ３２の高速掃出し期間を短くすることにより、単位時間あたりの撮影枚数を増やす事が可能である。
【００４５】
前述のように、垂直転送パルスΦＶの周波数を大きくすることにより高速掃出し期間を短縮することは可能である。しかし、周波数をあげることに伴い消費電力が増大する。それゆえ、電池の残量が少ない場合、連写中に停止することがある。そこで、電池の電圧が閾値以下である場合には、周波数を低下させた垂直転送パルスΦＶにより高速掃出しを実行して、電力の消費量が低減化される。
【００４６】
次に、ＣＰＵ１４およびＤＳＰ１３によって実行されるレリーズ制御の処理を図５のフローチャートを用いて説明する。レリーズ制御の処理はＣＰＵ１４がレリーズボタンの全押しを検知したときに開始される。
【００４７】
ステップＳ１００において、バッテリーチェッカー１５に電池の電圧を検出させる。電圧を検出すると、ステップＳ１０１に進み、単写モードと連写モードのいずれに設定されているかを判別する。連写モードに設定されている場合には、ステップＳ１０２に進む。単写モードに設定されている場合には、ステップＳ１０４に進む。
【００４８】
ステップＳ１０２では、ステップＳ１０１において検出した電池の電圧が閾値を超えるか否かを判別する。閾値を超える場合には、ステップＳ１０３に進む。閾値を超えない場合には、ステップＳ１０４に進む。
【００４９】
ステップＳ１０３において、垂直ＣＣＤ３２の高速掃出し時における垂直転送パルスΦＶの周波数を第２の高速掃出し用の周波数に設定する。一方、ステップＳ１０４では、垂直ＣＣＤ３２の高速掃出し時における垂直転送パルスΦＶの周波数を第１の高速掃出し用の周波数に設定する。周波数の設定後、ステップＳ１０５に進む。
【００５０】
ステップＳ１０５において、露光処理を開始する。ミラー１７を上方に開き、シャッタ１８を設定した露光時間だけ開くことにより、露光処理を完了する。露光処理の完了後、ステップＳ１０６に進む。
【００５１】
ステップＳ１０６において、垂直ＣＣＤ３２の高速掃出しを実行する。なお、ステップＳ１０３またはステップＳ１０４において設定した周波数の垂直転送パルスΦＶにより、垂直ＣＣＤ３２の高速掃出しが実行される。垂直ＣＣＤ３２の高速掃出しを完了すると、ステップＳ１０７に進む。
【００５２】
ステップＳ１０７では、ステップＳ１０５において画素３１に生成および蓄積させた信号電荷を出力アンプ３４に転送させる。前述のように、出力アンプ３４への転送のために、信号電荷を垂直ＣＣＤ３２に読出させ、信号電荷転送用の周波数に戻した垂直転送パルスΦＶによって信号電荷を水平ＣＣＤに転送させ、水平ＣＣＤ３３に出力アンプ３４までの転送を実行させる。信号電荷の出力アンプ３４への転送を終了すると、レリーズ制御を完了する。
【００５３】
以上のような本実施形態を適用した撮像素子駆動ユニットによれば、垂直ＣＣＤ３２に蓄積された電荷の高速掃出しの転送速度を電池の残量に応じて変えることが可能である。それゆえ、撮像動作の完了を優先させながら、電荷の掃出し期間を短縮化することが可能である。
【００５４】
なお、本実施形態では、電池の残量に応じて垂直転送パルスΦＶの周波数を変えるのは連写モードのときのみであるが、単写モードにおいて実行してもよい。単写モードにおいても、レリーズボタンの全押し後に撮影完了するまでの期間が短いことが、使用者に望まれている。そこで、単写モードにおいても電池の残量に応じて掃出し速度を変えることにより、撮像動作の完了を優先させながら、電荷の掃出し期間を短縮化することが可能である。
【００５５】
また、本実施形態では、電池の残量に応じて垂直転送パルスΦＶの周波数を変えるのは連写モードにおける連写開始時のみであるが、連写モードにおける連写中に電池の残量を検出して、周波数を切替えてもよい。
【００５６】
また、本実施形態において、垂直転送パルスΦＶの周波数を電池の残量に応じて変更する構成であるが、垂直ＣＣＤ３２に限らない。本実施形態では、画素３１から信号電荷を受信するＣＣＤが垂直ＣＣＤ３２であるが、画素３１から信号電荷を受信するＣＣＤが水平ＣＣＤ３３である場合には、水平転送パルスΦＨの周波数を電池の残量に応じて変更すればよい。すなわち、画素３１から信号電荷を受信するＣＣＤの転送パルスの周波数を電池の残量に応じて変更すれば、いずれのＣＣＤに対して掃出し速度を調整する構成でも本実施形態と同様の効果が得られる。
【００５７】
また、本実施形態において、第２の高速掃出し用の周波数は第１の高速掃出し用の周波数の２倍であるが、１倍より大きければ何倍であってもよい。
【００５８】
また、本実施形態において、垂直ＣＣＤ３２の高速掃出しのために垂直転送パルスΦＶの周波数を２段階で調整する構成であるが、２段階に限られない。電池の電圧を予め定められた複数の閾値と比較して、比較結果に応じて周波数を調整する構成であってもよい。
【００５９】
また、本実施形態では、電池の電圧を比較するために単一の閾値が定められる構成であるが、電池の種類に応じて閾値を変更可能であってもよい。例えば、アルカリ乾電池に対しては低い閾値が設定され、リチウム電池に対しては高い閾値を設定することにより、各電池に適した駆動が可能となる。
【００６０】
また、本実施形態では、垂直ＣＣＤ３２には第１〜第４の電極３６ａ〜３６ｄが順番に繰返すように配置される構成であるが、電極の数は４種に限られない。また、水平ＣＣＤ３３には第５、第６の電極が順番に繰返すように配置される構成であるが、電極の数は２種に限られない。
【００６１】
また、本実施形態では、撮像素子３０はインターレーススキャンの２回読出しにより、信号電荷が出力部３４まで転送される構成であるが、読出し回数は２回に限られず３回以上に分けて読出されてもよい。さらには、プログレッシブスキャンにより１回で読み出される構成であってもよい。
【００６２】
また、本実施形態において、撮像素子３０はＣＣＤ撮像素子であるが、他の電荷転送型の撮像素子に対しても適用可能である。
【図面の簡単な説明】
【００６３】
【図１】本発明の一実施形態を適用した撮像素子駆動ユニットを有する一眼レフカメラの内部構成を概略的に示すブロック図である。
【図２】撮像素子の概略的な構成図である。
【図３】第１〜第４の電極の配置図である。
【図４】レリーズ制御時に撮像素子において実行される動作のタイミングを示すタイミングチャートである。
【図５】レリーズ制御の処理を示すフローチャートである。
【符号の説明】
【００６４】
１０  一眼レフカメラ
１２  タイミングジェネレータ（ＴＧ）
１３  デジタルシグナルプロセッサ（ＤＳＰ）
１４  ＣＰＵ
１５  バッテリーチェッカー
３０  撮像素子
３１  画素
３２  垂直ＣＣＤ
３５ｓｇ  センサゲート（ＳＧ）端子
３５ｓｕｂ  電子シャッタ端子
３５ｖ１〜３５ｖ４  第１〜第４の垂直転送端子
３６ａ〜３６ｄ  第１〜第４の電極
【図１】
2010074283.tif 000003
【図２】
2010074283.tif 000004
【図３】
2010074283.tif 000005
【図４】
2010074283.tif 000006
【図５】
2010074283.tif 000007